(57)【要約】【課題】広い場所を必要とすることなく、室内でも実際にゴルフ場で使うクラブとボールにより、１８ホールに亘って競技を行うことができるゴルフゲームを提供する。【解決手段】打席部の前方４〜８ｍ程度の位置に設けたネット中央部に、中央帯およびその両側側面帯の標識を施した長方形の標的を表示したショット用装置と、打席部の前面からネットの間に亘って設けたパター用マットのカップに対して、１打目および２打目のパッティング位置を表示したパター用装置を用い、ゲームにおけるスコアーの数え方のルールを決めて行う。【選択図】図１
2008148893.tif 000002
【特許請求の範囲】
【請求項１】
打席部の前方４〜８ｍ程度の位置に設けたネットの中央部に、中央帯およびその両側側面帯の標識を施した長方形の標的を表示したショット用装置、および打席部の前面からネットの間に亘って設けたパター用マットのネットの直前部にカップを設け、打席部前面部分９個所にパター１打目の位置を表示し、さらに、カップの前面部分３個所にパター２打目の位置を表示したパター用装置を用い、ゲームにおけるスコアーの数え方のルールは、ショットの場合、ショットしたボールが上記標的の中央帯部分に当たった時は打数１、標的の両側側面帯部分に当たった時は打数２、標的を外れた部分に当たった時は打数３とし、ロングホールは３回、ミドルホールは２回、ショートホールは１回ショットし、パターの場合、１打目の位置からパッティングして１打目がカップに入れば打数１、入らない時は、２打目の位置からパッティングしてカップに入れば打数２、入らない時は打数３とし、アウトコース、インコースの各ホール毎に、上記スコアーの数え方に従ってショットとパットの合計打数を算出し、１ラウンドで競技することを特徴とするゴルフゲーム。
【請求項２】
前記ショット用装置が、標的の中央帯部分およびその両側側面帯部分、標的を外れた部分のそれぞれにボールが当たった時に点灯するランプを有する電光表示板を、打席部の近傍に設置していることを特徴とする請求項１に記載のゴルフゲーム。
【請求項３】
ロングホール３回のショット、ミドルホール２回のショット、ショートホール１回のショットに使用するクラブは、適宜選択して行うことを特徴とする請求項１または２に記載のゴルフゲーム。
【請求項４】
１ラウンドは、アウトコースおよびインコース共に、ロングホール２、ミドルホール５、ショートホール２の１８ホールで構成され、パー７２とすることを特徴とする請求項１ないし３のいずれかに記載のゴルフゲーム。
【発明の詳細な説明】
【技術分野】
【０００１】
本発明は、広い場所を必要とすることなく、室内でも実際にゴルフ場で使うクラブとボールにより、１８ホールに亘って競技を行うことができるようにしたゴルホゲームに関するものである。
【背景技術】
【０００２】
ゴルフゲームは各種に亘って知られているが、屋内で雨や風に邪魔されることなく、また、夜間でもゴルフ競技を楽しむことができるゴルフゲームとしては、例えば、ランニンググリーンと該ランニンググリーンに連設されるグリーンとを有するゴルフ施設を屋内に設置し、前記グリーンにはホールを形成し、該ホールの周囲にＯＫゾーンを設け、かつ、前記ランニンググリーンにはティーショット用マットを設け、該ティーショット用マットからボールを打ち、打たれたボールが落ちて静止した位置が前記ホール、前記ＯＫゾーン、前記グリーン、前記ランニンググリーンおよび場外の領域に対応させて異なる得点を取得させて竸うようにしたゴルフゲーム（特許文献１）が開示されている。  上記のゴルフゲームは、特定されたランニンググリーンとグリーンからなるゴルフ施設を用いるもので、また、１８ホールに亘って競技を行うものではないので、変化に乏しく実際のゴルフ競技としての興味に欠けるものである。
【０００３】
また、断熱緩衝材上に芝材を植設または栽設された芝から形成され、前記芝の材質と方向は長手方向、短手方向自由に変更でき、１ホールは、ティグランド、ラフフェアウェイ、グリーンの３種類から形成され、１ホールの外周には通路を兼ね備えたＯＢゾーンなる段差が設けられ、池、バンカー、カップが前記長方形、正方形を有した芝上に設置され、前記１ホールのロングホール、ミドルホール、ショートホール各サイズ毎に自由に組み合わせることができ、前記芝が容易に脱着できる構成からなるゴルフゲーム（特許文献２）が開示されている。
上記のゴルフゲームは、１８ホールに亘って競技を行うことができるものではあるが、正方形および長方形の形を有する断熱材に芝が植設または栽設されたもの多数を用いるもので、多大な設備費を必要とすると共に、１ホールのロングホール、ミドルホール、ショートホール各サイズ毎に、上記芝が植設または栽設された正方形および長方形の断熱材を組み合わせて用いなければならず、競技に極めて手数を要するものである。
本出願人は、多大な設備費と手数を要することなく、また、広い場所を必要とすることなく、室内でも実際にゴルフ場で使うクラブとボールにより、１８ホールに亘って競技を行うことができるゴルフゲームについて、すでに特許出願した（特許文献３）。
【０００４】
【特許文献１】特開平０７−３０３７２０号公報
【特許文献２】特開２００２−１９１７４０号公報
【特許文献３】特開２００６−１８７５１９号公報
【発明の開示】
【発明が解決しようとする課題】
【０００５】
本発明は、多大な設備費と手数を要することなく、また、広い場所を必要とすることなく、室内でも実際にゴルフ場で使うクラブとボールにより、１８ホールに亘って競技を行うことができるゴルフゲームを提供することを目的とするもので、前記本出願人の特許出願に係るゴルフゲームにおいて、主としてパター用装置の構成を改良して、全体を無駄なく使用できるようにしたものである。
【課題を解決するための手段】
【０００６】
本発明は、打席部の前方４〜８ｍ程度の位置に設けたネットの中央部に、中央帯およびその両側側面帯の標識を施した長方形の標的を表示したショット用装置、および打席部の前面からネットの間に亘って設けたパター用マットのネットの直前部にカップを設け、打席部前面部分９個所にパター１打目の位置を表示し、さらに、カップの前面部分３個所にパター２打目の位置を表示したパター用装置を用いる簡易な設備により、スコアーの数え方のルールを決めるだけで、１８ホールに亘って競技を行うことができるようにしたのである。
スコアーの数え方のルールは、ショットの場合、ショットしたボールが前記標的の中央帯部分に当たった時は打数１、標的の両側側面帯部分に当たった時は打数２、標的を外れた部分に当たった時は打数３とし、ロングホールは３回、ミドルホールは２回、ショートホールは１回ショットし、パターの場合、スコアーカードの各ホールに前記パター用マットに表示された１打目および２打目の位置を記載しておき、１打目の位置からパッティングして１打目がカップに入れば打数１、入らない時は、２打目の位置からパッティングしてカップに入れば打数２、入らない時は打数３とする。
上記スコアーの数え方に従って、各ホール毎にショットとパターの合計打数を算出し、１ラウンドで競技する。
【発明の効果】
【０００７】
本発明によれば、極めて簡易なショット用装置とパター用装置を無駄なく配設して、広い場所を必要とすることなく、室内でも実際にゴルフ場で使うクラブとボールにより、１８ホールに亘って競技を行うことができる。
【発明を実施するための最良の形態】
【０００８】
本発明においては、先ず、打席部の前方４〜８ｍ程度の位置に設けたネットの中央部に、中央帯および両側側面帯に標識を施した長方形の標的を表示したショット用装置を用意する。
ネットの位置を打席部の前方４〜８ｍ程度とすると、広い場所を必要とすることなく、設備を簡易化することができるので好ましい。そして、ネットの中央部において、適切なショットが行われた場合にボールが当たる一定範囲を標的として表示すると、この標的を目標として全てのショットを行うことができる。ボールが上記の標的を外れた場合は、好ましくないショットであったことを示すのであるが、標的の両側において大きく外れると、ＯＢに相当する好ましくないショットであったことになる。
上記ショット用装置において、標的の中央帯部分およびその両側側面帯部分のそれぞれにボールが当たった時に点灯するランプを有する電光表示板を、打席部の近傍に設置しておくと、ショットしたボールの当たった部分を明確に知ることができ、この際、電光表示板の前記２部分のそれぞれに当たった時に点灯するランプを青色、黄色のように色分けしておくのが好ましい。
【０００９】
本出願人の出願に係るゴルフ練習装置（特開２００６−１８７５１９号公報）において、電光表示板として、前記ランプの他に、標的にボールが当たった数と、パッティングしたボールがカップインした数を表示する表示部を備えたものを開示している。本発明においては、標的にボールが当たった数とカップインした数は必要としないが、上記ゴルフ練習装置を使用して行うことができる。
次に、打席部の前面からネットの間に亘って設けたパター用マットのネットの直前部にカップを設け、打席部前面部分９個所にパター１打目の位置を表示し、さらに、カップの前面部分３個所にパター２打席目の位置を表示したパター用装置を用意する。
パター用マットはグリーンに該当するものであるが、前記のように構成すれば、フェアウェイに相当する部分全体がグリーンとして使用されることになるので、特別の場所を必要とすることなく極めて有効である。
【００１０】
以上のショット用装置とパター用装置を用いてゴルフゲームを行うには、スコアーの数え方のルールが必要である。このルールは目的に応じて適宜に決めることができるが、本発明においては、好ましいスコアーの数え方のルールとして次のとおりとした。
先ず、ショットの場合、ショットしたボールが標的の中央帯部分に当たった時は打数１、標的の両側側面帯部分に当たった時は打数２、標的を外れた部分に当たった時は打数３とする。ボールが標的の中央帯部分に当たった時は、適切なショットが行われたのであるから最も少ない打数１とし、それから外れる毎に打数を多くする。
そして、ロングホールは３回、ミドルホールは２回、ショートホールは１回ショットし、ロングホールは３回のそれぞれのショットが標的あるいは標的外の当たった部分の打数を合計し、ミドルホールは２回の同様に打数を合計し、ショートホールは１回の打数により、それぞれの打数でボールがグリーンにオンしたことになる。
この際、各ホールで使用するクラブは適宜選択できるが、ゴルフの通常からして、ロングホールの３回のショットは、第１打をドライバー、第２打をフェアウェイウッド、第３打をアイアンを使用し、ミドルホールの２回のショットは、第１打をドライバー、第２打をアイアンを使用し、ショートホールはアイアンを使用して行うのが好ましい。
【００１１】
次に、パターの場合、パター用マットの打席部前面部分９個所にパター１打目の位置を表示し、カップの前面部分３個所にパター２打目の位置を表示しているので、スコアカードの各ホールに、予め前記１打目の９個所の位置に対して、３個所の２打目の位置を適宜選択して記載しておく。したがって、各ホールにおいて行うパターは、前記予め記載されたパッティング位置から行う。このように異なる距離において、かつ、２個所の異なるパッティング位置からパッティングを行うことができるので、単調になることがなく好ましい。
各ホール共に、スコアーカードに記載されたパッティング位置からパッティングして、１打目がカップに入れば打数を１、入らない時は、２打目の位置からパッティングしてカップに入れば打数を２、入らない時は打数を３とする。
アウトコースおよびインコースの各ホール毎に、前記スコアーの数え方のルールに従ってショットとパターの合計打数を算出し、１ラウンドで競技する。
この際、１ラウンドは、アウトコースおよびインコース共に、ロングホール２、ミドルホール５、ショートホール２の１８ホールで構成され、パー７２とすることが、通常のゴルフ場のゴルフコースに合致して好ましいゴルフゲームを行うことができる。
本発明において、集球部８で集めたボールを打席部へ自動的に運搬する装置を適宜に設け、ボールが集球部８から１分以内で回収できるようにすれば、マイボール２〜３個でゲームができるので好ましい。
【実施例】
【００１２】
本発明の実施例を図面に基づいて説明する。図１は本発明のショット用装置およびパター用装置の斜視図、図２は打席部、パター装置を含む平面部の上面図、図３はショット用装置の正面図、図４は電光表示板の要部の拡大正面図、図５はスコアーカードのスコアー記載面を示す平面図である。
平坦面にショット用マット１を備えた打席部２を設け、この打席部２の前方５ｍの位置に、ネット３を直立して設ける。ネット３には、中央帯４、その両側側面帯５の標識を施した長方形の標的６を表示する。この標的６は、ネット３の略中央部に表示するのが好ましい。
打席部２の前面からネット３の間に亘ってパター用マット７を設ける。ネット３の下部直前に集球部８および集球ピット９を設けるので、パター用マット７のネット３側の一部を、集球部８の上に跨がるように設け、この集球部８にボールが落下するようにカップ１０を設ける。そして、打席部２の前面部分で適宜９個所ａ，ｂ，ｃ，ｄ，ｅ，ｆ，ｇ，ｈ，ｉを、１打目の位置として表示し、さらに、カップ１０の前面部分で適宜３個所ｘ，ｙ，ｚを、２打目の位置として表示する。
【００１３】
打席部２の前方に電光表示板１１を立設する。図においては本出願人の出願に係るゴルフ練習装置における電光表示板を示した。この電光表示板１１には、標的の中央帯４にボールが当たった時に点灯するランプ１２、標的の両側側面帯５にボールが当たった時に点灯するランプ１３、さらに、標的にボールが当たった数およびパッティングしたボールがカップインした数を表示する表示部１４を設けている。
本発明においては、標的にボールが当たった数およびカップインした数について知る必要がないので、上記表示部１４の説明は省略する。なお、図示していないが、ショット装置およびパター装置の側面および上面に防護ネットを施しておけば、安心で心配なくゴルフゲームを行うことができる。
【００１４】
スコアーカードは図５に示すように、アウトコースが１〜９番の９ホール、インコースが１０〜１８番の９ホールで、アウトコースの２番と９番およびインコースの１４番と１８番がロングホールのパー５、アウトコースの１番と４〜６番と８番およびインコースの１０番と１２〜１３番と１６〜１７番がミドルホールのパー４、アウトコースの３番と７番およびインコースの１１番と１５番がショートホールのパー３である。
このスコアーカードにおいては、上記ホール番号とそのパーの記載の他に、グリーンとして、各ホールに前記パター装置に示した１打目と２打目のパッティング位置を記載している。例えば、アウトコース１番の「ａ−ｘ」との記載は、１打目がａの位置、２打目がｘの位置を示している。
【００１５】
ゴルフゲームの具体例について説明すると、先ず、アウトコースの１番はミドルホールであるから、第１打をティーショットする。このティーショットが標的６の側面帯５部分に当たったとすると打数は２、第２打をアイアンショットして、これが標的６の中央帯４部分に当たったとすると打数は１であるから、合計打数３でボールがグリーンにオンしたことになる。ボールが当たった部分の確認は、直接眼で見て行うか、あるいは電光表示板に点灯するランプにより行う。
そこで、パターを行うが、スコアーカードの上記１番ホールには「ａ−ｘ」と記載されているので、ａのパッティング位置でパッティングし、カップに入らなかったとすると、ｘのパッティング位置でパッティングし、これがカップに入らなかったとすると打数は３であるから、前記ショットの打数との合計６が１番ホールのスコアーとなる。
【００１６】
次に、アウトコースの２番はロングホールであるから、第１打をティーショットする。このティーショットが標的６の側面帯５部分に当たったとすると打数は２、第２打をフェアウェイウッドでショットして、これが同じく標的６の側面帯５部分に当たったとすると打数は２、さらに、第３打をアイアンショットして、これが標的６の中央帯４に当たったとすると打数は１であるから、合計打数５でボールがグリーンにオンしたことになる。
そこで、パターを行うが、スコアーカードの上記２番ホールには「ｂ−ｙ」と記載されているので、ｂのパッティング位置でパッティングし、カップに入らなかったとすると、ｙのパッティング位置でパッティングし、これがカップに入ったとすると打数は２であるから、前記ショットの打数との合計７が２番ホールのスコアーとなる。
次に、アウトコースの３番はショートホールであるから、第１打をアイアンショットする。このアイアンショットが標的６の側面帯５部分に当たったとすると打数は２であるから、打数２でボールがグリーンにオンしたことになる。
そこで、パターを行うが、スコアーカードの上記３番ホールには「ｃ−ｚ」と記載されているので、ｃのパッティング位置でパッティングし、これがカップに入ったとすると打数は１であるから、前記ショットの打数との合計３が３番ホールのスコアーとなる。
上記に従って、アウトコースの４番からインコースの１８番まで行う。
【産業上の利用可能性】
【００１７】
本発明のゴルフゲームは、広い場所を必要とすることなく、室内でも実際にゴルフ場で使うクラブとボールを用いて、１ラウンドの１８ホールに亘って行うことができるので、利用可能性は極めて高い。
【図面の簡単な説明】
【００１８】
【図１】ショット用装置およびパター用装置の斜視図である。
【図２】打席部、パター用装置を含む平面部の上面図である。
【図３】標的ネットの正面図である。
【図４】電光表示板の要部の拡大正面図である。
【図５】スコアーカードのスコアー記載面を示す平面図である。
【符号の説明】
【００１９】
１  ショット用マット
２  打席部
３  ネット
４  中央帯
５  側面帯
６  標的
７  パター用マット
８  集球部
９  集球ピット
１０  カップ
１１  電光表示板
１２  ボールが標的の中央帯に当たった時に点灯するランプ
１３  ボールが標的の側面帯に当たった時に点灯するランプ
１４  ボールが標的に当たった数およびカップインした数を表示する表示部
【図１】
2008148893.tif 000003
【図２】
2008148893.tif 000004
【図３】
2008148893.tif 000005
【図４】
2008148893.tif 000006
【図５】
2008148893.tif 000007